(57)【要約】【課題】床下空間内に配設された金属部材の耐久性を維持することができる建物における床下換気構造を提供すること。【解決手段】床下換気通路２２内である防鼠網２０と土台水切２１との間にロックウール製のフィルター２３が設けられている。このため、床下換気通路２２を経て床下空間内に吸入される空気はフィルター２３を経由することとなる。これにより、大気中の塵埃や海塩などが除去された清浄な空気が床下空間内に吸入される。その結果、床下空間内に配設された鉄骨や接合金具に付着する腐食促進物質が低減され、床下空間内における部材の耐久性を向上することができる。【選択図】図１
2007205089.tif 000002
【特許請求の範囲】
【請求項１】
屋外空間と床下空間とを連通する床下換気通路を備えた建物における床下換気構造において、
前記床下換気通路に、前記床下空間へ流入する空気を浄化するフィルターを配設したことを特徴とする建物における床下換気構造。
【請求項２】
基礎と、当該基礎の上面に沿って配置されて床からの荷重を支持する床大梁とを備え、
前記基礎と前記床大梁との間に設けられた隙間により、前記床下換気通路を形成するとともに、
前記フィルターを、前記基礎と前記床大梁との間に配設したことを特徴とする請求項１に記載の建物における床下換気構造。
【請求項３】
基礎と、当該基礎の上面に沿って配置されて床からの荷重を支持する床大梁と、前記床大梁の屋外側に配置される外壁とを備え、
前記基礎と前記床大梁との間および前記基礎と前記外壁との間に設けられた隙間により、前記床下換気通路を形成するとともに、
前記フィルターを、前記基礎と前記外壁との間に配設したことを特徴とする請求項１に記載の建物における床下換気構造。
【請求項４】
基礎と、当該基礎の上面に沿って配置されて床からの荷重を支持する床大梁と、前記床大梁の屋外側に配置される外壁と、前記外壁の下部に配置されて前記外壁の表面を伝って流下してきた水を前記基礎よりも屋外側へ排出する土台水切とを備え、
前記基礎と前記床大梁との間、前記基礎と前記外壁との間および前記基礎と前記土台水切との間に設けられた隙間により、前記床下換気通路を形成するとともに、
前記フィルターを、前記基礎と前記土台水切との間に配設したことを特徴とする請求項１に記載の建物における床下換気構造。
【請求項５】
前記土台水切よりも床下空間側に網板を設け、
前記フィルターを、前記土台水切と前記網板との間で挟持したことを特徴とする請求項４に記載の建物における床下換気構造。
【請求項６】
前記網板の下部に前記土台水切側に突出した第１係止部を設け、
前記第１係止部で前記フィルターを係止したことを特徴とする請求項５に記載の建物における床下換気構造。
【請求項７】
前記土台水切の下部に、前記基礎側に突出した第２係止部を設け、
前記第２係止部で前記フィルターを係止したことを特徴とする請求項４から請求項６のいずれかに記載の建物における床下換気構造。
【請求項８】
請求項１から請求項７のいずれかに記載の建物における床下換気構造の施工方法であって、
前記フィルターを、前記床下換気通路の屋外側開口から挿入することを特徴とする床下換気構造の施工方法。
【発明の詳細な説明】
【技術分野】
【０００１】
本発明は、建物における床下換気構造に関するものである。
【背景技術】
【０００２】
一般に建物の床下空間は地面から発生する水蒸気により湿度が高くなる傾向がある。床下空間の湿度が高くなると、木製の床材の腐食や床下に配置されている鉄骨や接合金物等の金属腐食の原因にもなる。そのため、建物においては、床下空間に空気を流通させ床下空間内の湿気を外部に排出するため床下換気通路を設けるのが一般的である（例えば、特許文献１参照）。
【０００３】
しかし、外部から床下空間内に流入する空気には、金属腐食を促進させる性質を有する塵埃や海塩なども含まれている。そのため、これらが床下空間内に吸入されて床下の鉄骨や接合金物に付着すると、金属腐食を発生させる原因となり、部材の耐久性を低下させるおそれもある。
【特許文献１】特許第２８６６６８６号公報
【発明の開示】
【発明が解決しようとする課題】
【０００４】
本発明は、上記問題に鑑みなされたものであり、外部からの空気を床下空間内に流入させつつも、床下空間内に配設された部材の耐久性を維持することができる建物における床下換気構造およびその施工方法を提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００６】
本発明の建物における床下換気構造では、屋外空間と床下空間とを連通する床下換気通路（床下換気通路２２）に、床下空間へ流入する空気を浄化するフィルター（フィルター２３）を配設した。これによると、床下換気通路に配設したフィルターを通って浄化された空気が外部から床下空間へ流入する。すなわち、床下空間へ流入する空気中の塵埃や海塩等が低減される。そのため、床下空間内に配設されている金属部材の腐食の原因を低減できる。その結果、外部から床下空間内に空気を流入させて換気を行いつつも、床下空間内における部材の耐久性を維持することが可能となる。
【０００７】
基礎（基礎１１）と、当該基礎の上面に沿って配置されて床からの荷重を支持する床大梁（床大梁１２）とを備え、前記基礎と前記床大梁との間に設けられた隙間により、前記床下換気通路を形成するとともに、前記フィルターを前記基礎と前記床大梁との間に配設することが好ましい。これによると、基礎と床大梁と間の空間により十分な量の換気流量を確保するとともに、金属腐食の原因も低減することが可能となる。
【０００８】
基礎と、当該基礎の上面に沿って配置されて床からの荷重を支持する床大梁と、前記床大梁の屋外側に配置される外壁（外壁１３）とを備え、前記基礎と前記床大梁との間および前記基礎と前記外壁との間に設けられた隙間により、前記床下換気通路を形成するとともに、前記フィルターを前記基礎と前記外壁との間に配設するという構成を採用すること
もできる。
【０００９】
また、基礎と、当該基礎の上面に沿って配置されて床からの荷重を支持する床大梁と、前記床大梁の屋外側に配置される外壁と、前記外壁の下部に配置されて前記外壁の表面を伝って流下してきた水を前記基礎よりも屋外側へ排出する土台水切（土台水切２１）とを備え、前記基礎と前記床大梁との間、前記基礎と前記外壁との間および前記基礎と前記土台水切との間に設けられた隙間により、前記床下換気通路を形成するとともに、前記フィルターを、前記基礎と前記土台水切との間に配設するという構成を採用することも可能である。
【００１０】
前記土台水切よりも床下空間側に網板（防鼠網２０）を設け、前記フィルターを前記土台水切と前記網板との間で挟持することが好ましい。これにより、前記土台水切と前記網板との間で安定的にフィルターを保持することが可能となる。
【００１１】
前記網板の下部に前記土台水切側に突出した第１係止部（係止板部２０ｃ）を設け、前記第１係止部で前記フィルターを係止することが好ましい。第１係止部においてフィルターを係止することにより、フィルターが所定の位置から落下することを抑制することができる。
【００１２】
また、前記土台水切の下部に前記基礎側に突出した第２係止部（係止板部２１ｄ）を設け、前記第２係止部で前記フィルターを係止することが好ましい。第２係止部においてフィルターを係止することにより、フィルターが所定の位置から落下することを抑制することができる。
【００１３】
前記フィルターは、前記床下換気通路の屋外側開口から挿入されることが好ましい。フィルターを床下換気通路の屋外側開口から挿入することで、フィルターの取り付けを簡易に行うことが可能となる。また、フィルターの取り外しも換気通路の屋外側開口から行うことが比較的容易となる。このため、フィルターの交換等、メインテナンス性を向上することが可能となる。
【発明を実施するための最良の形態】
【００１４】
［第１実施形態］
以下に、本発明を具体化した第１の実施形態について図１および図２を参照しつつ説明する。図１は、本実施形態の建物における外壁から基礎にかけての上下方向の断面図である。図２は、本実施形態におけるフィルターの取付構造を示す分解斜視図である。
【００１５】
本実施形態の建物においては、基礎１１の上に床大梁１２が配設されている。そして、この床大梁１２を介して外壁１３および床下地材１５が基礎１１に固定されている。床大梁１２は溝形形状の鋼製長尺材であり、その溝の開口を床下空間側に向けて基礎１１の上に固定されている。床大梁１２は、基礎１１に固定された柱（図示せず）と柱との間に橋渡されて固定されている。床大梁１２は、柱と基礎１１との固定部よりも若干上方において、柱に固定されているため、床大梁１２と基礎１１との間には隙間が形成されている。
【００１６】
床大梁１２の上面には、床受材１４を介して床下地材１５が固定されている。また、床大梁１２の屋外側側面には、外壁１３が固定されている。外壁１３は、外壁フレーム縦桟１６と、外壁フレーム縦桟１６の屋外側に配設された止水シート１７および外壁材１８と、外壁フレーム縦桟１６の下端に配設された外壁フレーム下桟１９とから構成されている。
【００１７】
外壁フレーム縦桟１６の下部には、溝形形状の鋼製長尺材からなる外壁フレーム下桟１
９が固定されている。この外壁フレーム下桟１９は、溝の開口側を下方に向けるようにして、外壁フレーム縦桟１６の下端に固定されている。外壁フレーム下桟１９は溝の両側を形成する屋外側側面部１９ａと床下空間側側面部１９ｂとを有している。そして、外壁フレーム下桟１９の床下空間側側面部１９ｂが屋外側側面部１９ａよりも下方に延びるように両側面の大きさが設定されている。外壁フレーム下桟１９はその床下空間側側面部１９ｂの下端を基礎１１上面から上方に離間させて床大梁１２の屋外側側面に固定されている。これにより、外壁１３が基礎１１上に配設されることとなる。それとともに、外壁フレーム下桟１９の下端と基礎１１上面との間においても隙間が形成されることとなる。
【００１８】
外壁フレーム縦桟１６の屋外側には、合成ゴムや塩化ビニル等の合成高分子材料で形成された止水シート１７が貼着されている。この止水シート１７は、屋外側から外壁フレーム縦桟１６内への雨水の浸入を防止するためのものである。そして、この止水シート１７のさらに屋外側には、セラミック製の外壁材１８が取り付けられている。なお、外壁材１８は外壁フレーム縦桟１６の下端よりもさらに下方の外壁フレーム下桟１９の屋外側側面部１９ａの一部にまでにまで取り付けられている。
【００１９】
外壁フレーム下桟１９の屋外側側面部１９ａ下端には、防鼠網２０と土台水切２１とが固定されている。防鼠網２０は、金属製の薄板で形成された長尺材であり、屋外から床下空間内へ鼠等が侵入するのを防ぐためのものである。防鼠網２０は、外壁フレーム下桟１９に固定されている背板部２０ａ、この背板部２０ａの下端から屋外側下方へわずかに傾斜しつつ下方に垂下した垂下板部２０ｂおよび垂下板部２０ｂ下端の屋外側に形成された係止板部２０ｃを有している。垂下板部２０ｂを形成する面は、基礎１１の屋外側の面よりもわずかに屋外側に配置されている。また、垂下板部２０ｂは、その下端が基礎１１上面とほぼ等しい高さに位置するような長さに設定されている。また、垂下板部２０ｂは鼠等の侵入を阻止できる程度の目の大きさの網状となっている。係止板部２０ｃは垂下板部２０ｂの下端から屋外側にわずかに屈曲しさらに下方にわずかに垂下する部位を有している。このように防鼠網２０が形成されることにより、屋外側から床下空間側に防鼠網２０が押された場合、その係止板部２０ｃが基礎１１の角部に当接する。すなわち、屋外側から鼠等が防鼠網２０を押し上げて床下空間内に侵入することを防ぐことが可能となる。
【００２０】
防鼠網２０のさらに屋外側には、土台水切２１が配設されている。土台水切２１は、金属製の薄板で形成された長尺材であり、外壁材１８の表面を伝って流れてくる雨水等が基礎１１上に滴り落ちて床下内に侵入するのを防ぐためのものである。土台水切２１は、外壁フレーム下桟１９に固定されている背板部２１ａ、この背板部２１ａの下端から屋外側へ屈曲した水平段部２１ｂ、この水平段部２１ｂの屋外側端部から下方へ屈曲した垂下板部２１ｃおよび垂下板部２１ｃから床下空間側上方へ屈曲した係止板部２１ｄを有している。水平段部２１ｂは、垂下板部２１ｃを形成する面が基礎１１の屋外側側面よりもさらに屋外側に配置されるような長さに設定されている。また、垂下板部２１ｃは、その下端が基礎１１上面よりも下方に位置するような長さに設定されている。このように各部の長さが設定されることで、外壁材１８の表面を伝って流下してきた雨水を基礎１１の屋外側側面よりも屋外側へ排出することが可能となる。また、土台水切２１と基礎１１との間にも隙間が形成されることとなる。
【００２１】
上述のとおり、床大梁１２と基礎１１上面との間、外壁フレーム下桟１９と基礎１１上面との間および土台水切２１と基礎１１との間には隙間が形成されている。そして、この隙間により、屋外空間と床下空間とが連通されている。すなわち、これらの隙間により、屋外空間と床下空間とを連通する床下換気通路２２が形成されている。
【００２２】
防鼠網２０と土台水切２１との間には、フィルター２３が配設されている。このフィルター２３としては、ロックウールやグラスウール等の空気や水蒸気は通すが大気中の塵埃
や海塩などを除去する性質のものが使用可能であり、本実施形態では、ロックウールが採用されている。綿状で柔軟性のあるロックウール製のフィルター２３は、防鼠網２０と土台水切２１との間に押し込まれるようにして充填されている。これにより、フィルター２３が両者の間で挟み込まれた状態となっている。また、フィルター２３の下部は、防鼠網２０および土台水切２１の係止板部２１ｄで係止されている。
【００２３】
次に、このフィルター２３の取り付けについてさらに説明する。本実施形態では、フィルター２３を取り付ける前に、防鼠網２０と土台水切２１とが外壁フレーム下桟１９に固定される。図２に示されるように、防鼠網２０および土台水切２１の背板部２０ａ，２１ａにはそれぞれ所定間隔で孔２０ｄ，２１ｅが設けられている。そして、その間隔と同じ間隔で外壁フレーム下桟１９の屋外側側面下部にも孔１９ｃが設けられている。
【００２４】
まず、防鼠網２０の背板部２０ａに設けられた孔２０ｄを外壁フレーム下桟１９における屋外側側面部１９ａ下部に設けられた孔１９ｃに位置を合わせて配置する。なお、防鼠網２０の背板部２０ａには両面テープが貼られており、これにより防鼠網２０が外壁フレーム下桟１９の屋外側側面部１９ａ下部に仮固定される。次に、土台水切２１の背板部２１ａに設けられた孔２１ｅを防鼠網２０の孔２０ｄおよび外壁フレーム下桟１９の孔１９ｃに位置を合わせて配置する。そして、三者の孔１９ｃ，２０ｄ，２１ｅの位置合わせがされた状態で、防鼠網２０および土台水切２１を外壁フレーム下桟１９にビス２４で固定する。
【００２５】
次にフィルター２３が防鼠網２０と土台水切２１との間に挿入される。フィルター２３の挿入は、床下換気通路の屋外側開口である土台水切２１と基礎１１との間における隙間の下端からなされる。フィルター２３は、防鼠網２０と土台水切２１との真下から防鼠網２０と土台水切２１との間の空間に押し込むようにしてなされる。フィルター２３は柔軟性のあるロックウールであるので、変形を伴いながら防鼠網２０と土台水切２１との間に挿入される。ロックウール製のフィルター２３が、防鼠網２０と土台水切２１との間の空間に充填されると、フィルター２３の厚さ方向では防鼠網２０と土台水切２１との間でフィルター２３が挟み込まれるとともに、フィルター２３の下部においては、防鼠網２０および土台水切２１の係止板部２０ｃ，２１ｄでフィルター２３が係止される。
【００２６】
以上のように構成された建物においては、床大梁１２と基礎１１上面との間、外壁フレーム下桟１９と基礎１１上面との間および土台水切２１と基礎１１との間に形成されている床下換気通路２２を通って、屋外側の空気が床下空間に流入する。この際、屋外空間から床下空間内に流入する空気は防鼠網２０および土台水切２１との間に配置されたフィルター２３を経由する。そして、このフィルター２３で空気中に含まれている塵埃や海塩などが除去され、浄化された空気が床下空間に流入することとなる。その後、床下空間に流入した空気は、床下空間内の湿気とともに外部に排出され、これにより床下空間内の換気が行われる。
【００２７】
以上詳述した本実施の形態は、以下の優れた効果を有する。本実施形態では、床下換気通路２２内である防鼠網２０と土台水切２１との間にロックウール製のフィルター２３が設けられている。このため、床下換気通路２２を経て床下内に流入する空気はフィルター２３を経由することとなる。これにより、大気中の塵埃や海塩などが除去された清浄な空気が床下空間内に流入する。その結果、床下空間内に配設された鉄骨や接合金具に付着する腐食促進物質が低減され、床下空間内における部材の耐久性を向上することができる。しかも、本実施形態では、床下換気通路２２は、床大梁１２と基礎１１上面との間に形成された隙間で形成されている。これにより、十分な換気流量を確保することも可能となる。
【００２８】
本実施形態では、フィルター２３として柔軟性のあるロックウールを用いている。これにより、床下換気通路２２内へのフィルター２３の挿入が容易になり、施工作業性の向上も図れる。特に、本実施形態では、ロックウールを土台水切２１と防鼠網２０との間の空間に充填している。これにより、土台水切２１と防鼠網２０との間で安定的にフィルター２３を保持させることが可能となる。また、本実施形態では、フィルター２３の下部は防鼠網２０および土台水切２１の係止板部２０ｃ，２１ｄで係止されている。これにより、フィルター２３が防鼠網２０と土台水切２１との間の空間から落下することを抑止できる。
【００２９】
本実施形態においては、フィルター２３は土台水切２１の内部に収容されている。これにより、雨水等がフィルター２３にかかりにくくなる。その結果、フィルター２３の耐久性を確保することができるとともに、雨水等による目詰まりの可能性も低減することができる。
【００３０】
本実施形態では、フィルター２３を交換する際には、土台水切２１を取り外すだけで交換が可能であり、メインテナンスも容易である。特に、本実施形態のようにフィルター２３として柔軟性のある綿状のロックウールを用いた場合には、土台水切２１の下方から容易に引っ張り出すことが可能である。また、本実施形態のように、土台水切２１として薄い金属板等で成形されたものを用いた場合には、土台水切２１における垂下板部２１ｃの下端を屋外側に少し広げて、フィルター２３の下部と土台水切２１の折り返し部との係合を解除すれば、容易にフィルター２３を取り外すことが可能となり、よりメインテナンスが容易となる。
【００３１】
本実施形態のように、床下換気通路２２の屋外側の開口からフィルター２３を挿入する構成を採用することにより、フィルター２３のメインテナンスも床下換気通路２２の屋外側の開口から行うことが可能となるので、メインテナンス性が向上する。
【００３２】
［第２実施形態］
次に本発明を具体化した第２実施形態について、図３を用いて説明する。図３は第２実施形態の建物における外壁から基礎にかけての縦方向の断面図である。
【００３３】
本実施形態においては、フィルター２３の配設位置が第１実施形態と異なるが、他の構成は第１実施形態と同一である。本実施形態では、フィルター２３は外壁フレーム下桟１９の下部に配設されている。また、本実施形態では、フィルター２３は、防鼠網２０および土台水切２１を固定する前に配設される。その際、フィルター２３の上部および下部のそれぞれが外壁フレーム下桟１９の溝内底面および基礎１１上面に接するように十分な量のフィルター２３が装填される。フィルター２３が床大梁１２と基礎１１上面との間に装填された後、防鼠網２０と土台水切２１が固定される。
【００３４】
本実施形態でも、第１実施形態と同様、床下換気通路２２内にフィルター２３が配設されるので、床下空間に流入する空気中の金属腐食促進物質を低減することが可能となる。
【００３５】
本実施形態では、ロックウール製のフィルター２３は、その上部および下部のそれぞれが外壁フレーム下桟１９の溝内底面および基礎１１上面に接するように配設される。これにより、フィルター２３の上下の隙間等からフィルター２３を通らずに床下空間に流入する空気を低減することが可能となる。
【００３６】
［第３実施形態］
次に本発明を具体化した第３実施形態について、図４を用いて説明する。図４は第３実施形態の建物における外壁から基礎にかけての縦方向の断面図である。
【００３７】
本実施形態においては、フィルター２３の配設位置が第１および第２の実施形態と異なるが、他の構成は上記実施形態と同一である。本実施形態においても第２実施形態と同様、フィルター２３は防鼠網２０と土台水切２１を固定する前に配設される。本実施形態においては、フィルター２３は床大梁１２と基礎１１との間に装填される。その際、フィルター２３の上部および下部のそれぞれが床大梁１２の下面および基礎１１上面に接するように十分な量のフィルター２３が装填される。
【００３８】
本実施形態でも、第１および第２の実施形態と同様、床下換気通路２２内にフィルター２３が配設されるので、床下空間に流入する空気中の金属腐食促進物質を低減することが可能となる。
【００３９】
また、本実施形態でも、フィルター２３の上部および下部が床大梁１２と基礎１１上面との間で接するように配置されている。これにより、フィルター２３の上下の隙間からフィルター２３を通らずに床下空間に流入する空気を低減することが可能となる。
【００４０】
［他の実施形態］
なお、本発明は上記実施の形態の記載内容に限定されず、例えば次のように実施しても良い。
【００４１】
上記各実施形態においては、基礎１１と床大梁１２との間に床下換気通路２２か形成された場合について説明した。しかし、他の部分に床下換気通路が形成された建物についても、床下換気通路にフィルターを配設することで上記実施形態と同様の作用効果を奏する。例えば、基礎壁に床下換気口が設けられている建物についても、床下換気口にフィルター２３を配設することで同様の作用効果を奏する。
【００４２】
上記各実施形態では、大気中の塵埃や海塩などを除去する性質を有するフィルター材料としてロックウールを採用した。しかし、ロックウール以外にも、グラスウールを使用することも可能である。また、雨水等がかかりにくい床下換気通路２２内部に設ける場合には、紙製のフィルターも使用可能である。その他、空気や水蒸気は通すが、塵埃や海塩を通さないフィルターならいずれも使用可能である。
【００４３】
上記各実施形態においては、基礎１１に固定された柱における基礎１１との固定部よりも若干上方において床大梁を固定することにより、基礎１１と床大梁１２との間に隙間を形成した。しかし、基礎１１と床大梁１２との間に隙間を形成する方法はこれに限定されるものではない。例えば、周知の基礎パッキン工法等によって基礎１１と床大梁１２との間に隙間を形成することも可能である。
【００４４】
また、上記発明は、様々な工法の建物に適用可能であり、例えば、筐状をなす建物ユニットを基礎上に据え付けてなるタイプの建物等にも適用可能である。
【図面の簡単な説明】
【００４５】
【図１】第１実施形態の建物における外壁から基礎にかけての縦方向の断面図。
【図２】第１実施形態におけるフィルターの取付構造を示す分解斜視図。
【図３】第２実施形態の建物における外壁から基礎にかけての縦方向の断面図。
【図４】第３実施形態の建物における外壁から基礎にかけての縦方向の断面図。
【符号の説明】
【００４６】
１１…基礎、１２…床大梁、１３…外壁、１４…床受材、１５…床下地材、１６…外壁フレーム縦桟、１７…止水シート、１８…外壁材、１９…外壁フレーム下桟、２０…防鼠
網、２１…土台水切、２２…床下換気通路、２３…フィルター。
【図１】
2007205089.tif 000003
【図２】
2007205089.tif 000004
【図３】
2007205089.tif 000005
【図４】
2007205089.tif 000006